(57)【要約】【課題】小型端末において、小型端末のセンサが検知する信号に応じて他の装置から送信された指示に基づく処理が行われる。【解決手段】情報処理装置であって、前記情報処理装置が耳に装着されていることを検知するセンサと、情報を処理する処理部と、他の装置と通信するための通信部と、を備え、前記処理部は、前記センサが検知する検知信号に基づいて信号を前記他の装置に送信し、前記処理部は、前記信号に応じて前記他の装置から送信された指示に応じた処理を行う、情報処理装置。【選択図】図２
2017147652.tif 000002
【特許請求の範囲】
【請求項１】
情報処理装置であって、
前記情報処理装置が耳に装着されていることを検知するセンサと、
情報を処理する処理部と、
他の装置と通信するための通信部と、を備え、
前記処理部は、前記センサが検知する検知信号に基づいて信号を前記他の装置に送信し、
前記処理部は、前記信号に応じて前記他の装置から送信された指示に応じた処理を行う、情報処理装置。
【請求項２】
前記処理部は、前記信号として前記情報処理装置が耳に装着されていることを示す装着信号を前記他の装置に送信する、請求項１に記載の情報処理装置。
【請求項３】
操作部をさらに備え、
前記処理部は、前記操作部に対する複数の操作方法を検出し、
前記処理部は、前記信号として検出した操作方法に応じた操作信号を前記他の装置に送信する、請求項１に記載の情報処理装置。
【請求項４】
前記処理部が、前記情報処理装置が耳から取り外されてから所定時間経過後に耳に装着されたと判断した場合、
前記処理部は、前記装着信号を前記他の装置に送信する、請求項２に記載の情報処理装置。
【請求項５】
前記処理部は、前記情報処理装置が耳に装着されているか否かに基づいて、前記他の装置が異なる処理を実行するための指示を前記他の装置に送信する、請求項１に記載の情報処理装置。
【請求項６】
操作部をさらに備え、
前記処理部は、前記操作部に対する複数の操作方法を検出し、
前記処理部は、検出した操作方法に基づいて、前記他の装置が異なる処理を実行するための指示を前記他の装置に送信する、請求項１に記載の情報処理装置。
【請求項７】
前記処理部が、前記情報処理装置が耳から取り外されてから所定時間経過後に耳に装着されたと判断した場合、
前記処理部は、前記他の装置に対して情報を取得するように指示する指示を前記他の装置に送信する、請求項１に記載の情報処理装置。
【発明の詳細な説明】
【技術分野】
【０００１】
本開示は、情報処理装置に関する。
【背景技術】
【０００２】
近年、携帯電話が利用可能な移動体通信ネットワークが普及しており、当該移動体通信ネットワークにおいて、ユーザは携帯電話を用いて通話することができる。携帯電話に関しては、利便性を高めるために携帯電話に接続される小型端末が開発されており、ユーザは当該小型端末を用いても通話することができる。
【０００３】
特許文献１には、上述した小型端末が開示されている。特許文献１には、小型端末として、基地局と無線通信を行う携帯端末に取り外し可能に取り付けられるイヤーピースが開示されている。ユーザは、当該イヤーピースを携帯端末から取り外し、当該イヤーピースを用いて通話をすることができる。
【先行技術文献】
【特許文献】
【０００４】
【特許文献１】特開２００１−２３８２６２号公報
【発明の概要】
【発明が解決しようとする課題】
【０００５】
上述したイヤーピースのような他の装置に接続される小型端末では、ユーザの簡便な動作によって操作が行われることが好ましい。そこで本開示では、小型端末のセンサが検知する信号に応じて他の装置から送信された指示に基づく処理が行われる、新規かつ改良された小型端末が提案される。
【課題を解決するための手段】
【０００６】
本開示によれば、情報処理装置であって、前記情報処理装置が耳に装着されていることを検知するセンサと、情報を処理する処理部と、他の装置と通信するための通信部と、を備え、前記処理部は、前記センサが検知する検知信号に基づいて信号を前記他の装置に送信し、前記処理部は、前記信号に応じて前記他の装置から送信された指示に応じた処理を行う、情報処理装置が提供される。
【発明の効果】
【０００７】
以上説明したように本開示によれば、小型端末のセンサが検知する信号に応じて他の装置から送信された指示に基づく処理が行われる。
【０００８】
なお、上記の効果は必ずしも限定されず、上記の効果とともに、または上記の効果に代えて、本明細書に示されたいずれかの効果、または本明細書から把握され得る他の効果が奏されてもよい。
【図面の簡単な説明】
【０００９】
【図１】図１は、本開示の通信システムの一例を示す図である。
【図２】図２は、本開示の小型端末の外観の一例を示す図である。
【図３】図３は、本開示の小型端末を充電する充電ケースの一例を示す図である。
【図４】図４は、本開示の小型端末の構成の一例を示すブロック図である。
【図５】図５は、本開示の小型端末の操作方法の一例を示す図である。
【図６】図６は、本開示の小型端末が充電ケースに接続または取り外しされるときの動作の一例を示す図である。
【図７】図７は、本開示の小型端末が耳に装着または取り外しされるときの動作の一例を示す図である。
【図８】図８は、本開示の小型端末によって情報取得を行う動作の一例を示すフローチャートである。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行う。
１．システム構成
２．小型端末の構成
３．小型端末の動作
４．補足
５．むすび
【００１２】
＜１．システム構成＞
図１は、本開示の小型端末１００を含む通信システムの構成を示す図である。本開示の通信システムは、小型端末１００と、携帯電話２００と、通信ネットワーク３００と、サーバ４００とを含む。小型端末１００は、ユーザの耳に装着される端末であり、携帯電話２００と近距離無線で接続される。本開示において小型端末１００は、スピーカを備え、ユーザは小型端末１００を用いて通話できる。また小型端末１００は操作部を備え、ユーザは操作部を操作することによって、携帯電話２００の様々な機能に対して操作を行う。小型端末１００は、携帯電話２００からの指示に応じた処理を行う情報処理装置の一例である。小型端末１００については後に詳述される。
【００１３】
携帯電話２００は、スピーカおよびマイクロフォンを備え、移動体通信ネットワークに含まれる基地局と通信することによって他の端末と通話できる。また、携帯電話２００は、情報を表示する表示部を備え、また表示部に形成されたタッチパネルを備える。ユーザはタッチパネルを用いて操作することによって、携帯電話２００の様々な機能に関する操作を行う。なお、携帯電話２００の操作に用いられる構成はタッチパネルに限定されず、方向キーまたはハードボタンまたはジョグダイヤルのような構成であってもよい。
【００１４】
また、携帯電話２００は通話機能以外の様々な機能を有しており、一部の機能は、通信ネットワーク３００を介してサーバ４００と通信を行うことにより実現される。携帯電話２００が有する機能としては、例えば写真撮影、音楽再生、ブラウジング機能、メール、地図表示などが含まれる。
【００１５】
サーバ４００は、通信ネットワーク３００を介して携帯電話２００と接続される。サーバ４００は、携帯電話２００が有するアプリケーションまたは機能に対応した情報を提供する。例えば、ユーザが携帯電話２００に備えられたブラウザを用いてインターネット接続する場合、サーバ４００はウェブ画面を携帯電話２００に提供する。また、ユーザが携帯電話２００に備えられた地図アプリケーションを用いて地図を表示する場合、サーバ４００は地図情報を携帯電話２００に提供する。携帯電話２００は、アプリケーションごとに異なるサーバ４００に接続し、情報を取得する。
【００１６】
＜２．小型端末の構成＞
以上では、本開示の通信システムの構成が説明された。以下では、本開示の小型端末１００の構成について説明される。図２は、本開示の小型端末１００の外観を示す図である。小型端末１００は、ユーザの耳に装着される端末であり、ユーザの耳に挿入される挿入部１２０を有する。また、小型端末１００は、ユーザによって操作される操作部１０２を有する。
【００１７】
図３は、小型端末１００を充電するために用いられる充電ケース５００を示す図である。充電ケース５００は磁気センサを有しており、小型端末１００が充電ケース５００上に載置されると、充電ケース５００は磁気センサで小型端末１００を検知する。そして充電ケース５００は、小型端末１００が載置されたことを検出すると、小型端末１００の充電を開始する。また、充電ケース５００は、小型端末１００の充電端子との電気的な接続を検知して充電を開始するように構成されてもよい。なお、充電ケース５００はバッテリーを内蔵しており、内蔵されたバッテリーはＵＳＢでの充電が可能となっている。
【００１８】
以上では、小型端末１００の外観および充電ケース５００について説明された。以下では、小型端末１００の内部の構成について説明される。図４は、小型端末１００の内部構造を示すブロック図である。小型端末１００は、操作部１０２と、処理部１０４と、バッテリー１０６と、充電回路１０８と、充電端子１１０を備える。また、小型端末１００は、スピーカ１１２と、マイクロフォン１１４と、センサ１１６と、通信部１１８を備える。
【００１９】
ユーザは、操作部１０２に対して異なる操作を行うことができる。例えば、ユーザの操作部１０２に対する異なる操作方法としては、ユーザが操作部１０２を短く１回叩くまたは短く２回叩くという操作方法がある。また、ユーザの操作部１０２に対する異なる操作方法としては、ユーザが所定の時間操作部１０２を押すという操作方法がある。なお、操作部１０２は、静電式または感圧式のタッチパネルであってもよく、また物理キーであってもよい。また、操作部１０２は１つでもよく、また複数個でもよく、数は制限されない。しかし、本開示の小型端末１００のような小さい端末では、操作部１０２を配置する場所が限られるため、操作部１０２の数は少ないほうが好ましい。
【００２０】
処理部１０４は、小型端末１００の各部と接続され、各部からの情報を処理する。例えば、処理部１０４は、操作部１０２がユーザによって操作された情報を検出する。また、処理部１０４は、通信部１１８を介して携帯電話２００から受信した音声データを処理し、処理された音声データをスピーカ１１２に対して出力する。また、処理部１０４は、マイクロフォン１１４が受音した音声を処理して音声データを生成し、通信部１１８を介して携帯電話２００に送信する。また、処理部１０４は、センサ１１６が検知する検知信号に基づいて小型端末１００が耳に装着されていることを示す装着信号を携帯電話２００に送信する。
【００２１】
充電端子１１０は、上述した充電ケース５００側の端子と接続される。バッテリー１０６は、充電回路１０８を介して充電端子１１０から給電される電気を蓄積する。バッテリー１０６は蓄積した電気を小型端末１００の各部に供給し、各部は供給された電気によって動作する。
【００２２】
スピーカ１１２は、処理部１０４が処理した音声データに基づいて音声を出力する。例えば、スピーカ１１２は、携帯電話２００において通話機能が使用されている場合、携帯電話２００から送信された音声データに基づいて通話の音声を出力する。また、マイクロフォン１１４は、音声を受音し、処理部１０４に送る。例えば、マイクロフォン１１４は、ユーザが話した声を受音し、音声信号を処理部１０４に送る。
【００２３】
センサ１１６は、小型端末１００がユーザの耳に装着されていることを検知する。センサ１１６は、例えば、検出対象物に接触することなく、対象物を検出可能な近接センサであってもよい。近接センサは、例えば、赤外線、超音波または電磁波を使用して検出対象物を検出してもよい。また別の例では、近接センサは、電磁誘導による渦電流の変化または検出対象物が近づくことによる静電容量の変化などを利用して検出対象物を検出してもよい。
【００２４】
通信部１１８は、Ｂｌｕｅｔｏｏｔｈ（登録商標）などの近距離無線通信インタフェースを使用して携帯電話２００などの他の装置と通信を行ってもよい。小型端末１００では、小容量のバッテリー１０６が使用されるため、Ｂｌｕｅｔｏｏｔｈ  Ｌｏｗ  Ｅｎｅｒｇｙなどの省電力である無線通信インタフェースが使用されることが望ましい。通信部１１８は上述したインタフェースに限られず、ＺｉｇＢｅｅなどの近距離無線通信インタフェースであってもよい。
【００２５】
なお、小型端末１００と携帯電話２００は、ペアリングによって相互に接続される。ペアリングは、電波の届く範囲にある機器を探索し、ユーザが検出された機器の中から接続したい機器を選択することによってなされる。ペアリングに関して、小型端末１００と携帯電話２００は、暗証番号を用いることによって相互に認証を行うように構成されてもよい。このようにペアリングを行うことによって携帯電話２００と小型端末１００は通信可能となる。
【００２６】
＜３．小型端末の動作＞
以上では、小型端末１００の構成について説明された。以下では、小型端末１００の動作について説明される。図５は、小型端末１００の操作部１０２が操作されたときの動作例を示す図である。左端の列の「操作パターン」は、小型端末１００の操作部１０２に対する異なる操作方法を示す。また最上段の行の各状態は、小型端末１００または携帯電話２００の状態または小型端末１００または携帯電話２００で行っている処理を示す。以下、図５を参照して小型端末１００の動作について説明される。
【００２７】
（操作パターン）
図５に示される小型端末１００の操作部１０２の操作パターンとして、「短押し（１回）」、「短押し（２回）」、「長押し（２秒）」、「長押し（５秒）」、「短押し（２回）＋長押し」、「長押し（１０秒）」が示される。しかし、操作部１０２の操作パターンはこれらに限られない。また、短押しの回数および長押しの秒数は、以下に説明する回数および秒数に限られず、他の値が用いられてもよい。
【００２８】
本開示の小型端末１００では操作部１０２がユーザによって押されると、処理部１０４は操作部１０２が押されたときから計時を開始する。上述した「短押し（１回）」は、ユーザが操作部１０２を押してから１０００ｍｓ以内にユーザの指が操作部１０２から離され、かつユーザの指が操作部１０２から離されたときから５００ｍｓ以内にユーザが再度操作部１０２を押さないときに検出される。
【００２９】
「短押し（２回）」は、ユーザが操作部１０２を押して（１回目）から１０００ｍｓ以内にユーザの指が操作部１０２から離され、かつユーザの指が操作部１０２から離されたときから５００ｍｓ以内にユーザが再度操作部１０２を押し（２回目）、そして再度ユーザが指を操作部１０２から離したときに検出される。
【００３０】
「長押し（２秒）」は、ユーザが操作部１０２を押してから２０００ｍｓ以内にユーザの指が操作部１０２から離されないときに検出される。また、「長押し（５秒）」は、ユーザが操作部１０２を押してから５０００ｍｓ以内にユーザの指が操作部１０２から離されないときに検出される。また、「長押し（１０秒）」は、ユーザが操作部１０２を押してから１００００ｍｓ以内にユーザの指が操作部１０２から離されないときに検出される。なお、秒数の異なる各長押しが行われたことを示すために、小型端末１００が各長押しの操作を検出したときに、小型端末１００は確認音をスピーカ１１２から音を出力してもよい。また、各確認音は、秒数の異なる各長押しの操作によって異なってもよい。
【００３１】
「短押し（２回）＋長押し」は、「短押し（２回）」において、２回目にユーザが操作部１０２を押した後、１０００ｍｓ以内にユーザが再度指を操作部１０２から離し、ユーザが再度指を離してから５００ｍｓ以内に再度ユーザが操作部１０２を押し（３回目）、その後５０００ｍｓユーザが操作部１０２から指を離さなかったときに検出される。
【００３２】
（小型端末の状態）
以上では、小型端末１００の操作部１０２に対する操作パターンについて説明された。以下では、小型端末１００の動作状態について説明される。上述したように、図５の最上段は、小型端末１００または携帯電話２００の動作状態を示す。図５では小型端末１００の動作状態の例として、「電源オフ」、「接続なし」、「ペアリング」、「スタンバイ」および「音楽再生」が挙げられている。また、図５では小型端末１００の動作状態の例として、「着呼」、「通話中」、「発呼」、「第２の着呼」、「第２の通話」、「第２の発呼」および「音声操作」が挙げられている。以下、各状態について説明される。
【００３３】
「電源オフ」は、小型端末１００の電源が切られている状態である。なお、小型端末１００に電源スイッチが設けられていない場合、小型端末１００が他の装置に接続されておらず、かつ小型端末１００が所定時間操作されなかったときに小型端末１００は電源オフになってもよい。また、小型端末１００が上述した充電ケース５００に接続された場合に小型端末１００の電源がオフになってもよい。「接続なし」は、小型端末１００と携帯電話２００（もしくは他の装置）がスタンバイされていない状態である。
【００３４】
「ペアリング」は、上述したペアリングを行うためのモードに入っている状態である。小型端末１００はペアリングモードに入ることによって携帯電話２００に検出されるようになり、ユーザは携帯電話２００で小型端末１００を選択することによって小型端末１００と携帯電話２００がペアリングされる。「スタンバイ」は、小型端末１００と携帯電話２００がペアリングされ、相互に通信可能である状態である。「音楽再生」は、携帯電話２００で音楽アプリケーションが起動されており、小型端末１００は携帯電話２００から送信される音楽データに基づいて音声をスピーカ１１２から出力している状態である。
【００３５】
「着呼」は、小型端末１００が接続されている携帯電話２００に他の装置から着信があった状態である。「通話中」は、小型端末１００が接続されている携帯電話２００において、電話アプリケーション等によって通話が行われている状態である。「通話中」のとき小型端末１００は、携帯電話２００から通話の音声データを受信し、またマイクロフォン１１４で受音した音声データを携帯電話２００に送信する。「発呼」は、小型端末１００が接続されている携帯電話２００において、他の装置に電話を発信している状態である。
【００３６】
「第２の着呼」は、例えば、小型端末１００が接続されている携帯電話２００において、第１の端末と第１の通話を行っている間に第２の端末から第２の着信が到来した状態である。「第２の通話」は、例えば、小型端末１００が接続されている携帯電話２００において、第１の通話が保留され、第２の通話が行われている状態である。「第２の発呼」は、例えば、小型端末１００が接続されている携帯電話２００において、第１の端末と第１の通話が行われている間に第２の端末に対する第２の発呼を行っている状態である。
【００３７】
「音声操作」は、小型端末１００が接続されている携帯電話２００が、ユーザの音声による指示を待っている状態である。例えば、「音声操作」の状態において、携帯電話２００はユーザに対して音声による指示を行ってもよい。例えば、携帯電話２００は、メールアプリケーションを起動している際に、「メールを返信しますか？」という音声をユーザに対して出力するように動作してもよい。携帯電話２００が音声による指示を行うとき、小型端末１００は携帯電話２００から音声データを受信し、スピーカ１１２から当該音声データに基づく音声を出力する。
【００３８】
なお、「音声操作」の状態の場合、小型端末１００は、マイクロフォン１１４でユーザの音声を受音し、受音した音声に基づく音声データを携帯電話２００に送信してもよい。ユーザの音声データを受信した携帯電話２００は、受信した音声データを音声認識し、ユーザの指示と判断してもよい。例えば、ユーザが「はい。」と答えた場合、小型端末１００は、音声データを携帯電話２００に送信し、携帯電話２００は音声データを音声認識し、ユーザが肯定応答したものとして判断する。つまり、携帯電話２００が「メールを返信しますか？」とユーザに質問を行った場合、ユーザが「はい。」と音声で答えることによって、携帯電話２００はユーザが肯定応答を行ったと判断する。そして携帯電話２００は、メール返信用のメール作成画面を起動してもよく、「返信メッセージをどうぞ。」のようにさらなる音声による質問を行ってもよい。なお別の例では、小型端末１００が音声認識を行い、小型端末１００は携帯電話２００に音声認識に基づくデータを送信してもよい。
【００３９】
（各操作パターンに基づく小型端末の動作）
以上、小型端末１００の操作部１０２に対する操作パターンおよび小型端末１００の状態について説明された。以下は、操作部１０２が操作されるパターンに応じて小型端末１００または携帯電話２００が各状態でどのような動作を行うか説明される。なお、ユーザが操作部１０２に対して各操作を行うと、小型端末１００は接続されている携帯電話２００に各操作方法に応じた操作信号を送信してもよい。また、操作信号を受信した携帯電話２００は、受信した操作信号および動作しているアプリケーションに応じた動作を行い、小型端末１００は携帯電話２００からの指示に応じた処理を行う。
【００４０】
最初にユーザが操作部１０２に対して「短押し（１回）」の操作を行った場合の小型端末１００または携帯電話２００の動作について説明される。小型端末１００が「接続なし」の状態であった場合、ユーザが操作部１０２に対して短押し（１回）の操作を行うことにより、小型端末１００は携帯電話２００（または他の装置）に対して接続を試みる。
【００４１】
また、小型端末１００が「スタンバイ」または「音楽再生」の状態であった場合、ユーザが操作部１０２に対して短押し（１回）の操作を行うことにより、小型端末１００が接続されている携帯電話２００に対して音声による操作が可能になる。例えば、音声操作が行われるときには小型端末１００のマイクロフォン１１４が有効になり、ユーザが音声による指示を行うと、小型端末１００はその音声データを携帯電話２００に送信する。音声データを受信した携帯電話２００は、音声データを音声認識してユーザの指示に基づいた動作を行う。また、携帯電話２００は小型端末１００に対してさらなる指示を送信してもよい。なお小型端末１００が「スタンバイ」または「音楽再生」の状態であった場合、ユーザの操作部１０２に対する短押し（１回）の操作は、小型端末１００がユーザの耳に装着されているときにのみ有効化されてもよい。
【００４２】
次に携帯電話２００に「着呼」があった状態の場合、ユーザが操作部１０２に対して短押し（１回）の操作を行うことにより、携帯電話２００はその着呼に応答する。携帯電話２００が着呼に応答すると、通話の音声データが小型端末１００に送信される。小型端末１００は携帯電話２００から着呼があったことを示す指示および／または音声データを受信し、当該音声データを処理してスピーカ１１２から音声を出力する。小型端末１００または携帯電話２００が「通話中」または「発呼」の状態であった場合、ユーザが操作部１０２に対して短押し（１回）の操作を行うことにより、携帯電話２００は終話する。
【００４３】
また、携帯電話２００に「第２の着呼」があった状態の場合、ユーザが操作部１０２に対して短押し（１回）の操作を行うことにより、携帯電話２００は第２の着呼に応答する。このとき第１の着呼は終話されてもよいし、保留されてもよい。
【００４４】
また、小型端末１００または携帯電話２００が「第２の通話」または「第２の発呼」を行っている状態の場合、ユーザが操作部１０２に対して短押し（１回）の操作を行うことにより、携帯電話２００は第２の通話または第２の発呼を終話する。このとき携帯電話２００は保留されている第１の通話に戻ってもよい。また、第２の通話または第２の発呼が終話されると、小型端末１００は携帯電話２００から第２の通話または第２の発呼が終話したことを示す指示を受信し、スピーカ１１２からの音声の出力を終了する。また、通話が第１の通話に戻った場合、小型端末１００は第１の通話の音声をスピーカ１１２から出力する。
【００４５】
次に、携帯電話２００に対して「音声操作」を行う状態の場合、ユーザが操作部１０２に対して短押し（１回）の操作を行うことにより、携帯電話２００は肯定応答を認識する。上述したように「音声操作」の状態では、ユーザは音声による操作を行うことができる。しかし、ユーザが置かれている状況によっては音声による応答が適当ではない場合がある（例えば電車の中など）。
【００４６】
このような場合、ユーザは操作部１０２に対して短押し（１回）の操作を行うことにより、携帯電話２００に対して肯定応答を行う。つまり上述したように携帯電話２００から「メールを返信しますか？」というような質問がなされた場合、ユーザは操作部１０２に対して短押し１回の操作を行うことにより肯定応答を行う。小型端末１００は短押し１回の操作信号を携帯電話２００に送信し、携帯電話２００は操作信号に基づいて肯定応答を認識する。そして携帯電話２００はメール返信用の作成画面を起動してもよい。なお小型端末１００または携帯電話２００が「音声操作」の状態であった場合、ユーザの操作部１０２に対する短押し（１回）の操作は、小型端末１００がユーザの耳に装着されているときにのみ有効化される。
【００４７】
以上では、短押し（１回）の操作に対する小型端末１００または携帯電話２００の動作について説明された。以下では、短押し（２回）の操作に対する小型端末１００または携帯電話２００の動作について説明される。
【００４８】
小型端末１００または携帯電話２００が「第２の通話」の状態である場合、ユーザが操作部１０２に対して短押し（２回）の操作を行うことによって、携帯電話２００は通話の切り替えを行う。つまり、携帯電話２００は第２の通話を終話または保留し、保留していた第１の通話に戻る。小型端末１００は携帯電話２００から第２の通話が終了したことを示す指示を受信し、スピーカ１１２からの音声の出力を終了する。
【００４９】
以上では、短押し（２回）の操作に対する小型端末１００または携帯電話２００の動作について説明された。以下では、長押し（２秒）の操作に対する小型端末１００または携帯電話２００の動作について説明される。
【００５０】
小型端末１００が「電源オフ」の状態であった場合、ユーザが操作部１０２に対して長押し（２秒）の操作を行うことにより、小型端末１００の電源が入る。また、小型端末１００が「スタンバイ」または「音楽再生」の状態であった場合、ユーザが操作部１０２に対して長押し（２秒）の操作を行うことによりショートカットコマンドが行われる。ここでショートカットコマンドは、ユーザによって設定される所定の動作である。例えば、ユーザはショートカットコマンドとして、図８を用いて後述する「メッセージ」または「発呼」または「メール」などの動作を設定できる。なお小型端末１００が「スタンバイ」または「音楽再生」の状態であった場合、ユーザの操作部１０２に対する長押し（２秒）の操作は、小型端末１００がユーザの耳に装着されているときにのみ有効化される。
【００５１】
次に携帯電話２００に「着呼」があった場合、ユーザが操作部１０２に対して長押し（２秒）の操作を行うことにより、携帯電話２００は当該着呼を拒否する。また、携帯電話２００が「通話中」の状態である場合、ユーザが操作部１０２に対して長押し（２秒）の操作を行うことにより、携帯電話２００はミュートを行う。携帯電話２００からミュートの指示を受信した小型端末１００はスピーカ１１２からの音声の出力を終了する。
【００５２】
また、携帯電話２００に「第２の着呼」があった場合、ユーザが操作部１０２に対して長押し（２秒）の操作を行うことにより、携帯電話２００は当該第２の着呼を拒否する。また、携帯電話２００が「第２の通話」を行っている状態の場合、ユーザが操作部１０２に対して長押し（２秒）の操作を行うことにより、携帯電話２００はミュートを行う。携帯電話２００からミュートの指示を受信した小型端末１００はスピーカ１１２から音声の出力を終了する。
【００５３】
また、携帯電話２００に対して「音声操作」を行う状態の場合、ユーザが操作部１０２に対して長押し（２秒）の操作を行うことにより、携帯電話２００は否定応答を認識する。なお小型端末１００が「音声操作」の状態であった場合、ユーザの操作部１０２に対する長押し（２秒）の操作は、小型端末１００がユーザの耳に装着されているときにのみ有効化される。
【００５４】
以上では、長押し（２秒）の操作に対する小型端末１００または携帯電話２００の動作について説明された。以下では、長押し（５秒）の操作に対する小型端末１００または携帯電話２００の動作について説明される。
【００５５】
小型端末１００が「電源オフ」、「接続なし」、「スタンバイ」、「音楽再生」の状態である場合、ユーザが操作部１０２に対して長押し（５秒）の操作を行うことにより、小型端末１００はペアリングモードに入る。
【００５６】
以上では、長押し（５秒）の操作に対する小型端末１００または携帯電話２００の動作について説明された。以下では、短押し（２回）＋長押しの操作に対する小型端末１００または携帯電話２００の動作について説明される。
【００５７】
小型端末１００が「接続なし」、「スタンバイ」、「音楽再生」の状態である場合、ユーザが操作部１０２に対して短押し（２回）＋長押しの操作を行うことにより、小型端末１００は初期化を行う。ここで初期化は、設定内容または小型端末１００に記憶されているデータなどの消去を含む。
【００５８】
以上では、短押し（２回）＋長押しの操作に対する小型端末１００または携帯電話２００の動作について説明された。以下では、長押し（１０秒）の操作に対する小型端末１００または携帯電話２００の動作について説明される。ユーザが操作部１０２に対して長押し（１０秒）の操作を行うことにより、小型端末１００はすべての状態においてハードウェアリセットを行う。これにより小型端末１００は工場出荷状態となる。
【００５９】
このように、ユーザが小型端末１００の操作部１０２を様々な操作方法で操作することによって、携帯電話２００に複数の異なる指示を行うことができる。これによってユーザは、携帯電話２００を操作することなく様々なアプリケーションに対して異なる操作をすることができる。これは、例えば、携帯電話２００がユーザの鞄などに収納されているときに有効である。
【００６０】
以上では、ユーザの操作部１０２に対する操作方法に応じた小型端末１００または携帯電話２００の動作方法について説明された。以下では、小型端末１００が充電ケース５００から取り外されるまたは充電ケース５００に装着されることに応じる小型端末１００の動作について説明される。
【００６１】
図６は、小型端末１００が充電ケース５００から取り外されるまたは充電ケース５００に装着されることに応じる小型端末１００の動作を示す図である。小型端末１００は充電ケース５００に装着されることによりすべての状態で電源オフの状態となる。このとき小型端末１００は充電器に接続されたことを示す充電状態信号を携帯電話２００に送信してもよい。充電状態信号を受信した携帯電話２００は、小型端末１００との接続を解除するなどの動作を行ってもよい。また、小型端末１００が充電ケース５００に装着されている場合であっても、充電ケースに装着されていない場合と同様に、ユーザが操作部１０２に対して長押し（１０秒）の操作を行うと、小型端末１００はハードウェアリセットを行う。また、小型端末１００は充電ケース５００から取り外されることにより、電源オンの状態となる。
【００６２】
以上では、小型端末１００が充電ケース５００から取り外されるまたは充電ケース５００に装着されることに応じる小型端末１００の動作について説明された。以下では、小型端末１００がユーザの耳に装着されるまたはユーザの耳から取り外されることに応じる小型端末１００の動作について説明される。
【００６３】
小型端末１００がユーザの耳に装着されると、小型端末１００は接続されている携帯電話２００に小型端末１００が装着されていることを示す装着信号を送信する。携帯電話２００は装着信号を受信することによって小型端末１００がユーザの耳に装着されていることを認識する。また、小型端末１００がユーザの耳から取り外されると、小型端末１００は接続されている携帯電話２００に小型端末１００が取り外されたことを示す取外し信号を送信する。携帯電話２００は取外し信号を受信することによって小型端末１００がユーザの耳から取り外されたことを認識する。
【００６４】
図７は、小型端末１００がユーザの耳に装着されるまたはユーザの耳から取り外されることに応じる小型端末１００の動作を示す図である。小型端末１００が「スタンバイ」状態の時に小型端末１００が耳に装着されると、小型端末１００は図８を用いて後述するメッセージを携帯電話２００から受信する。そして、小型端末１００は携帯電話２００から受信したメッセージをスピーカ１１２から出力する。
【００６５】
また、小型端末１００または携帯電話２００が「着呼」の状態である場合に小型端末１００が耳に装着されると、携帯電話２００は当該着呼に応答する。また、小型端末１００または携帯電話２００が「通話中」または「発呼」の状態である場合に小型端末１００が耳に装着されると、携帯電話２００は機器の切り替えを行う。つまり、携帯電話２００が「通話中」の状態のときに装着信号を受信すると、携帯電話２００は通話の音声を小型端末１００から出力するように機器の切り替えを行う。
【００６６】
また、小型端末１００または携帯電話２００に「第２の着呼」があった場合に小型端末１００が耳に装着されると、携帯電話２００は第１の通話を小型端末１００に切り替える。このとき第２の着呼の音声は携帯電話２００から出力されてもよい。また、小型端末１００または携帯電話２００が「第２の通話」または「第２の発呼」の状態である場合に小型端末１００が耳に装着されると、携帯電話２００は第２の通話を小型端末１００に切り替える。
【００６７】
以上では、小型端末１００がユーザの耳に装着されたときの小型端末１００の動作について説明された。以下では、小型端末１００がユーザの耳から取り外されたときの小型端末１００の動作について説明される。
【００６８】
小型端末１００または携帯電話２００が「通話中」または「発呼」の状態である場合に小型端末１００が耳から取り外されると、携帯電話２００は機器の切り替えを行う。つまり携帯電話２００は取外し信号を小型端末１００から受信し、通話の音声を携帯電話２００から出力するように機器を切り替える。
【００６９】
また、小型端末１００または携帯電話２００に「第２の着呼」があった場合に小型端末１００が耳から取り外されると、携帯電話２００は第１の通話を携帯電話２００に切り替える。このとき第２の着呼の音声は小型端末１００から出力されてもよい。また、小型端末１００または携帯電話２００が「第２の通話」または「第２の発呼」の状態である場合に小型端末１００が耳から取り外されると、携帯電話２００は第２の通話を携帯電話２００に切り替える。
【００７０】
以上説明したように、本開示の小型端末１００は、ユーザの耳に装着されるまたは取り外されることを示す信号を携帯電話２００に送信する。これによって、ユーザは、小型端末１００を装着または取り外すことによって、例えば、着呼に応答することができ、また通話を終話することができる。ユーザは、このような簡単な動作を行うことによって携帯電話２００を操作できる。また、ユーザが小型端末１００を耳に装着する動作または小型端末１００を耳から取り外す動作は、ユーザが操作部１０２を操作する動作に比べて誤操作が少ない。よってアプリケーションの重要な操作（例えば、通話機能における応答または終話）をユーザが小型端末１００を装着するまたは取り外す動作に割り当てることによって、重要な機能に対する誤操作が少なくなる。
【００７１】
以上では、小型端末１００がユーザの耳から取り外されたときの小型端末１００の動作について説明された。以下では、上述した「メッセージ」の動作について説明される。図８は、「メッセージ」の動作を示す処理フローである。
【００７２】
「メッセージ」動作では、Ｓ１００において小型端末１００がユーザの耳に装着される。次にＳ１０２において、小型端末１００は前回の挿入から（つまり前回小型端末１００が取り外されてから）所定時間が経過しているか否かを判定する。Ｓ１０２において小型端末１００が前回の挿入から所定時間経過していないと判定した場合、処理は終了する。
【００７３】
Ｓ１０２において小型端末１００が前回の挿入から所定時間経過していると判定した場合、処理はＳ１０４に進み、小型端末１００は装着情報を携帯電話２００に送信する。装着情報を受信した携帯電話２００は、サーバ４００に対して情報を要求する。携帯電話２００が要求する情報はユーザによって設定され、当該情報には、例えば、天気に関する情報、交通情報、ニュースに関する情報などが含まれる。
【００７４】
次にサーバ４００は、Ｓ１０８において要求された情報を携帯電話２００に送信する。ここで、Ｓ１０８において携帯電話２００に送信される情報は文字情報である。次にＳ１１０においてサーバ４００から文字情報を受信した携帯電話２００は、音声合成を行う。音声合成は、受信された文字情報を音声データに変換する処理である。
【００７５】
次にＳ１１２において、携帯電話２００は変換された音声データを小型端末１００に送信する。そしてＳ１１４において小型端末１００は、受信された音声データを処理し、スピーカ１１２から音声を出力する。
【００７６】
Ｓ１０２において、小型端末１００が前回の挿入から所定時間経過しているか否かを判定する理由は、ユーザが誤って小型端末１００を落とし、すぐに小型端末１００を装着したような場合に、何度もメッセージの再生がなされないようにするためである。なお、ユーザが誤って小型端末１００を落とし、すぐに小型端末１００を装着したような場合、メッセージの再生は、メッセージの再生が小型端末１００が誤って取り外されたことによって中断された時点から再開されてもよい。この処理は、Ｓ１１２で送信または受信される音声データが小型端末１００または携帯電話２００で記憶されることによって実現される。
【００７７】
また別の例では、Ｓ１０２の判断は、携帯電話２００で行われてもよい。つまり、Ｓ１００で小型端末１００が耳に装着されると、小型端末１００は装着情報を携帯電話２００に送信する。そして、携帯電話２００は、前回小型端末１００から装着情報を受信した時間に基づいて、小型端末１００が前回挿入されたときから所定時間経過しているか否かを判断する。その後の処理は、上述した処理と同様である。
【００７８】
また、「メッセージ」動作において要求される情報は、サーバ４００に問い合わせる情報に限定されない。例えば、携帯電話２００内に記憶されているスケジュールに関する情報であってもよい。また、要求される情報は、時間帯に応じて変更されてもよい。例えば、午前６時から午前８時の間に装着された場合には、天気とスケジュールに関する情報が要求される。また午後５時から午後８時の間に小型端末１００が装着された場合には、交通情報とニュースに関する情報が要求されてもよい。このように時間帯によって要求される情報が変更されることによって、時間帯に応じてユーザが望む情報が適切に取得される。
【００７９】
なお以上では、小型端末１００が操作信号または装着信号または充電状態信号などを携帯電話２００に送信し、各信号を受信した携帯電話２００が主にどのような動作を行うかを判定する動作例が説明された。
【００８０】
しかし、小型端末１００がどのようなアプリケーションまたは処理が行われているかを判定し、携帯電話２００に異なる処理を実行するように指示を送信してもよい。例えば、小型端末１００は操作部１０２に対してどのような操作がなされたかを判定し、小型端末１００の状態に応じた異なる処理を行うように携帯電話２００に指示を送信してもよい。
【００８１】
図５に基づいて詳細に説明すれば、例えば、小型端末１００が「スタンバイ」状態である時に、操作部１０２に対して短押し（１回）の操作がなされると、小型端末１００は音声による操作を可能とするように携帯電話２００に指示を送信してもよい。
【００８２】
また、小型端末１００は小型端末１００が耳に装着されたことを判定し、小型端末１００の状態に応じた異なる処理を行うように携帯電話２００に指示を送信してもよい。例えば、小型端末１００が「通話中」の状態である時に小型端末１００が耳に装着されると、小型端末１００は、通話の音声データを小型端末１００に送信するように携帯電話２００に指示を送信するように構成されてもよい。
【００８３】
また、図８で示された「メッセージ」動作において、小型端末１００は前回小型端末１００が取り外されてから所定時間経過しているか、および時間帯を判定し、携帯電話２００に対して適切な情報を取得するように指示を送信してもよい。
【００８４】
＜４．補足＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属する。
【００８５】
例えば、図５を用いて説明された小型端末１００の状態と操作方法の関係は、図５に示された関係に限定されない。例えば、短押し（１回）で行われた動作が短押し（２回）で行われるように構成されてもよい。また、操作方法は図５に示された方法に限定されず、長押し（２秒）は短押し（３回）に置き換えられてもよい。また別の例では、短押し（２回）＋長押しの操作は、長押し（７秒）に置き換えられてもよく、また短押し（３回）の操作に置き換えられてもよい。また、別の例では、上述したように操作部１０２が長押しされる秒数は２秒、５秒、１０秒に限られず、３秒、７秒、１５秒などより長い間隔を有する秒数に設定されてもよい。これによってより確実に誤操作が行われる可能性が低減される。
【００８６】
また、処理部１０４を上述したように動作させるためのコンピュータプログラムが提供されてもよい。また、このようなプログラムが記憶された記憶媒体が提供されてもよい。
【００８７】
＜５．むすび＞
以上説明したように、本開示の小型端末では、複数の操作方法に応じた操作信号を携帯電話に送信する。操作信号を受信した携帯電話は、アプリケーションまたは動作に応じた処理を行う。また、本開示の小型端末は、小型端末が耳に装着されたことを示す装着信号を携帯電話に送信する。装着信号を受信した携帯電話は、アプリケーションまたは動作に応じた処理を行う。このように、本開示の小型端末は操作信号または装着信号を送信し、携帯電話は受信された各信号に基づいて動作する。これによって様々な機能を有する携帯電話において、小型端末を用いて様々な操作が行われる。
【００８８】
また、本明細書に記載された効果は、あくまで例示であって限定的ではない。つまり、本開示に係る技術は、上記の効果とともに、または上記の効果に代えて、本明細書の記載から当業者には明らかな他の効果を奏しうる。
【００８９】
なお、以下のような構成も本開示の技術的範囲に属する。
（１）
情報処理装置であって、
前記情報処理装置が耳に装着されていることを検知するセンサと、
情報を処理する処理部と、
他の装置と通信するための通信部と、を備え、
前記処理部は、前記センサが検知する検知信号に基づいて信号を前記他の装置に送信し、
前記処理部は、前記信号に応じて前記他の装置から送信された指示に応じた処理を行う、情報処理装置。
（２）
前記処理部は、前記信号として前記情報処理装置が耳に装着されていることを示す装着信号を前記他の装置に送信する、前記（１）に記載の情報処理装置。
（３）
操作部をさらに備え、
前記処理部は、前記操作部に対する複数の操作方法を検出し、
前記処理部は、前記信号として検出した操作方法に応じた操作信号を前記他の装置に送信する、前記（１）に記載の情報処理装置。
（４）
前記処理部が、前記情報処理装置が耳から取り外されてから所定時間経過後に耳に装着されたと判断した場合、
前記処理部は、前記装着信号を前記他の装置に送信する、前記（２）または前記（３）に記載の情報処理装置。
（５）
前記処理部は、前記情報処理装置が耳に装着されているか否かに基づいて、前記他の装置が異なる処理を実行するための指示を前記他の装置に送信する、前記（１）に記載の情報処理装置。
（６）
操作部をさらに備え、
前記処理部は、前記操作部に対する複数の操作方法を検出し、
前記処理部は、検出した操作方法に基づいて、前記他の装置が異なる処理を実行するための指示を前記他の装置に送信する、前記（１）に記載の情報処理装置。
（７）
前記処理部が、前記情報処理装置が耳から取り外されてから所定時間経過後に耳に装着されたと判断した場合、
前記処理部は、前記他の装置に対して情報を取得するように指示する指示を前記他の装置に送信する、前記（１）に記載の情報処理装置。
【符号の説明】
【００９０】
１００    小型端末
１０２    操作部
１０４    処理部
１０６    バッテリー
１０８    充電回路
１１０    充電端子
１１２    スピーカ
１１４    マイクロフォン
１１６    センサ
１１８    通信部
１２０    挿入部
２００    携帯電話
３００    通信ネットワーク
４００    サーバ
５００    充電ケース
【図１】
2017147652.tif 000003
【図２】
2017147652.tif 000004
【図３】
2017147652.tif 000005
【図４】
2017147652.tif 000006
【図５】
2017147652.tif 000007
【図６】
2017147652.tif 000008
【図７】
2017147652.tif 000009
【図８】
2017147652.tif 000010